(57)【特許請求の範囲】
【請求項１】
シリンダの端部にロッドガイドとオイルシールとを設け、シリンダ内にピストンを介して移動自在に挿入したピストンロッドが上記オイルシールの内周を摺接して外部に導出している油圧緩衝器に於いて、ロッドガイドの内周にピストン速度の微低速時にピストンロッドに対して一定のフリクションを付与するブッシュを嵌合し、当該ブッシュを非弾性体からなる円筒状のブッシュ本体と、ブッシュ本体の外周に設けた円筒状の弾性体と、弾性体の外周に設けた芯金とで構成させ、更に、上記弾性体の上部にピストンロッドの外周に摺接する斜め上向きのチェック弁を一体に連設させたことを特徴とする油圧緩衝器。
【請求項２】
シリンダの端部にロッドガイドとオイルシールとを設け、シリンダ内にピストンを介して移動自在に挿入したピストンロッドが上記オイルシールの内周を摺接して外部に導出している油圧緩衝器に於いて、ロッドガイドの内周にピストン速度の微低速時にピストンロッドに対して一定のフリクションを付与するブッシュを嵌合し、当該ブッシュを非弾性体からなる円筒状のブッシュ本体と、ブッシュ本体の外周に設けた円筒状の弾性体と、弾性体の外周に設けた芯金とで構成させ、更に、ブッシュ本体を耐熱耐摩擦性の良い材料で成形された円筒体と円筒体の外周に積層したカラーとで構成し、上記カラーの上部外周に上記弾性体と上記芯金とを配設し、上記弾性体の下方に於いて上記カラー外周と上記ロッドガイド内周との間に微小隙間又は他の弾性体を設けていることを特徴とする油圧緩衝器。
【発明の詳細な説明】
【０００１】
【発明の属する技術分野】
本発明は、車両のサスペンションとして使用され、特にピストンの低速域においてピストンロッドに一定のフリクションを付与する油圧緩衝器に関する。
【０００２】
【従来の技術】
一般に自動車等のサスペンションとして使用される油圧緩衝器はシリンダの端部にロッドガイドとオイルシールとを設け、又シリンダ内にはピストンを介してピストンロッドが移動自在に挿入され、当該ピストンロッドは上記ロッドガイドの内周とオイルシールの内周とに摺接しながら外部に導出している。ロッドガイドはピストンロッドをピストンと協働して軸方向に案内し、オイルシールはシリンダ内の油が外部に洩れるのを防止している。オイルシールの外周にはバンドが設けられており、このバンドの締付力とオイルシール自体の弾性とでオイルシールの内周とピストンロッドの外周との間に一定のフリクションが発生するようになっている。
【０００３】
【発明が解決しようとする課題】
一般にピストン速度の低速域ではピストン等に設けたオリフィス又は減衰バルブに流動抵抗がほとんど発生せず、従って減衰力が発生しないが、オイルシールとピストンロッドとの間のフリクションはピストンロッドの摺動性に影響を与え、従って車両の乗心地にも影響がある。
【０００４】
この為、油圧緩衝器の設計時にはオイルシールとピストンロッドとの間のフリクションの大きさを計算し、この計算に基づいてピストンロッドの外周にオイルシールを組付け、ピストンの低速域においても一定のフリクションが発生するようにしている。
【０００５】
しかしながら、長期間の使用中にはくり返しオイルシールがピストンロッドと摺接するとこのオイルシールが劣化することが考えられる。この場合にはオイルシールのピストンロッドに対するフリクションが所定通り効かなくなリ、その結果ピストンの低速域において、ピストンとピストンロッドの微細な振動を抑制しにくくなり、例えば悪路走行時に発生する大きな振動後に微細な上下方向の振動が残っていつまでも続くと、車体がいつまでも小さく振動し乗心地を悪くする不具合が起り得る。
【０００６】
そこで、本発明の目的は、オイルシールに関係なくピストンの微低速域において常にピストンロッドに一定のフリクションを付与できる油圧緩衝器を提供することである。
【０００７】
【課題を解決するための手段】
上記の目的を達成するため、本発明の手段は、シリンダの端部にロッドガイドとオイルシールとを設け、シリンダ内にピストンを介して移動自在に挿入したピストンロッドが上記オイルシールの内周を摺接して外部に導出している油圧緩衝器に於いて、ロッドガイドの内周にピストン速度の微低速時にピストンロッドに対して一定のフリクションを付与するブッシュを嵌合し、当該ブッシュを非弾性体からなる円筒状のブッシュ本体と、ブッシュ本体の外周に設けた円筒状の弾性体と、弾性体の外周に設けた芯金とで構成させ、更に、上記弾性体の上部にピストンロッドの外周に摺接する斜め上向きのチェック弁を一体に連設させたことを特徴とするものである。
【０００８】
同じく、他の手段は、シリンダの端部にロッドガイドとオイルシールとを設け、シリンダ内にピストンを介して移動自在に挿入したピストンロッドが上記オイルシールの内周を摺接して外部に導出している油圧緩衝器に於いて、ロッドガイドの内周にピストン速度の微低速時にピストンロッドに対して一定のフリクションを付与するブッシュを嵌合し、当該ブッシュを非弾性体からなる円筒状のブッシュ本体と、ブッシュ本体の外周に設けた円筒状の弾性体と、弾性体の外周に設けた芯金とで構成させ、更に、ブッシュ本体を耐熱耐摩擦性の良い材料で成形された円筒体と円筒体の外周に積層したカラーとで構成し、上記カラーの上部外周に上記弾性体と上記芯金とを配設し、上記弾性体の下方に於いて上記カラー外周と上記ロッドガイド内周との間に微小隙間又は他の弾性体を設けていることを特徴とするものである。
【００１０】
【発明の実施の形態】
以下、本発明の実施の形態を図にもとづいて説明する。
【００１１】
本発明の各実施の形態に係る車両用サスペンションとして使用される油圧緩衝器は、図１，図２に示すように、シリンダ１の端部にロッドガイド２とオイルシール３とを設け、シリンダ１内にピストンを介して移動自在に挿入したピストンロッド４が上記オイルシール３の内周を摺接して外部に導出している。そして、本発明では、ロッドガイド２の内周にピストン速度の微低速時にピストンロッド４に対して一定のフリクションを付与するブッシュ６を嵌合し、当該ブッシュ６を非弾性体からなる円筒状のブッシュ本体２０又３０と、ブッシュ本体２０又は３０の外周に設けた円筒状の弾性体２１又は３１と、弾性体２１又は３１の外周に設けた芯金２２又は３２とで構成させたことを基本構造としている。
【００１２】
この基本構造に於て、図１の実施の形態では、弾性体２１の上部にピストンロッド４の外周に摺接する斜め上向きのチェック８弁が一体に連設されている。
【００１３】
同じく図２の実施の形態では、ブッシュ本体３０が耐熱耐摩擦性の良い材料で成形された円筒体３０ａと円筒体３０ａの外周に積層したカラー３０ｂとからなり、カラー３０ｂの上部外周に弾性体３１と芯金３２とを配設し、弾性体３１の下方に於てカラー３０ｂとロッドガイド２との間に微小隙間３３又は他の弾性体を設けているものである。
【００１４】
以下、更に詳しく説明する。
【００１５】
図１に示すように、シリンダ１と同芯にアウターシェル９が配設され、シリンダ１とアウターシェル９の上端部にはロッドガイド２が固定されている。
【００１６】
ロッドガイド２の上方たる外部側にはバンド１１で付勢された上下のリップからなるオイルシール３が設けられ、このオイルシール３は支持金具１２を介してロッドガイド２の支持突起１３に支持され、又アウターシェル９のカシメ部９ａと支持板１４とで保持されている。
【００１７】
オイルシール３はピストンロッド４の外周と摺接し、ロッドガイド２の油溜室１５に溜った油とエアはロッドガイド２に形成した油路１６を介してアウターシェル９内側のリザーバ１７に回収されるようになっている。
【００１８】
ブッシュ６の内周はピストンロッド４に摺接し、ピストンの低速域において、一定のフリクションをピストンロッド４に付与するようになっている。
【００１９】
シリンダ１内にはピストンで区画された油室１８を有し、この油室１８内の油と混入したエアはブッシュ６の内周とチェック弁８を介してブッシュ６上方への流れは許容するが、ブッシュ６上方に流出した油とエアはチェック弁８によって逆流が防止され、これらは必ず油溜り室１５よりリザーバ１７に回収されるようになっている。ブッシュ６は後述するように外周側に芯金２２を有し、この芯金２２がロッドガイド２の内周に当接し、ブッシュ６自体の弾性でブッシュ６のピストンロッド４に対するフリクションを付与している。
【００２０】
ブッシュ６は図１に示すように、円筒状の芯金２２と、芯金２２の内側に設けた円筒状の弾性体２１と、弾性体２１の内側に設けた非弾性体からなるテフロン等の円筒状のブッシュ本体２０とで構成され、弾性体２１の上部にはピストンロッド４の外周に摺接する斜め上向きのチェック弁８を一体に連設している。
【００２１】
芯金２２は銅等の金属板からなるものでも良く、あるいは弾性材からなるもので反発力を発生させるものでも良い。弾性体２１はＮＢＲ等のゴムあるいはウレタン樹脂等の弾性材で成形され、その他耐久性と弾性に富む複合材で成形されるのが好ましく、その弾性でブッシュ本体２０を押圧してピストンロッド４に対するフリクションを与えている。この場合、弾性体２１はピストンロッド４の起動時に若干その下部が上下に伸縮して起動摩擦を増やすようにしている。
【００２２】
ブッシュ本体２０の内周とピストンロッド４の外周との間にはわずかな隙間２５が形成されて油とエアの流出を許容しているが、上方に流出したエアはチェック弁８によって油室１８への逆流を防止している。チェック弁８は弾性体２１の上端から上方に一体に起立した円錐状のリップ８ｂからなっている。このリップ８ｂはピストンロッド４の外周に任意の締代で接触している。チェック弁８はいわゆるダッグビル型に成形しても良い。
【００２３】
上記の実施の形態に係る油圧緩衝器によれば、ピストンの微低速域において、ピストンロッド４の移動初期には弾性体２１の下部が若干上下に移動することによりブッシュ本体２０もこれにつられて若干動く。その後ピストンロッド４はブッシュ本体２０によるフリクションを受け、オイルシール３によるフリクションに関係なくブッシュ６によってピストンロッド４に一定のフリクションを付与できる。この為、車両の走行中、悪路走行によって大きな振動が車体に発生し、その後微細な振動が残っても、この微振動はブッシュ６のピストンロッド４に対するフリクションでピストンロッド４の上下動が抑制されることにより解消される。いいかえれば、ピストン速度の微低速域での車体の微振動がフリクションで抑制され、乗心地を向上できる。
【００２４】
図２は、本発明の他の実施の形態に係り、これらはブッシュの構造を変更したものである。それ以外の構造，作用，効果は、図１の場合と同じであり、同一の構造は同一の符号を付すことで詳細は省略する。
【００２５】
即ち、図２に示すブッシュ６は、先に述べたようにブッシュ本体３０と弾性体３１と、芯金３２と、微小隙間３３とを有し、ブッシュ本体を円筒体３０ａとカラー３０ｂとで構成したものである。
【００２６】
この場合も図１の場合と同じく弾性体３１でブッシュ本体３０を押圧してピストンロッド４にフリクションを付与する。弾性体３１は若干ピストンロッド４の移動初期に上下に動き、これによりブッシュ本体３０も若干上下動し、その後、動摩擦力を発生させる。
【００２７】
【発明の効果】
本発明によれば、次の効果がある。
【００２８】
(1) 各請求項の発明によれば、ロッドガイドの内周にブッシュを嵌合し、このブッシュでピストンロッドに対してピストンの微低速域で一定のフリクションを付与しているので、例えば、車体が大きな振動後に微細な振動が残ってもこの振動は上記のフリクションで抑制され、いつまでも微振動が続くのが防止される。
その結果、車体が安定し乗心地が向上する。
【００２９】
（２） 同じく、弾性体はブッシュ本体をピストンロッド側に押圧してブッシュ本体にフリクションを付与している。しかも微低速域の初期には弾性体の一部が上下に伸縮することによりブッシュ本体を上下に若干移動させて起動摩擦を押え、その後ブッシュ本体で動摩擦を増やすことができる。
【００３０】
(3) 同じく、ブッシュでオイルシール等に関係なくフリクションを発生できるから、オイルシールが劣化しても常にピストンロッドに対するフリクションを効かせることができる。
【００３１】
(4) 同じく、ブッシュ本体が芯金で補強されているのでブッシュ本体の耐久性を向上できる。
【００３２】
（５）請求項１の発明によれば、ブッシュには逆流防止用のチェック弁を連設したのでシリンダ内の油とエアがシリンダの油室から洩れるのを許容するが、逆にエアが油室側に逆流するのを防止でき、ピストン等に設けたポート又は減衰バルブ等の減衰力発生機構における減衰力を安定できる。
【図面の簡単な説明】
【図１】本発明の一実施の形態に係る油圧緩衝器の一部拡大縦断正面図である。
【図２】他の実施の形態に係る油圧緩衝器の一部拡大縦断正面図である。
【符号の説明】
１  シリンダ
２  ロッドガイド
３  オイルシール
４  ピストンロッド
６  ブッシュ
８  チェック弁
８ｂ  リップ
２０，３０  ブッシュ本体
２１，３１  弾性体
２２，３２  芯金
３０ａ  円筒体
３０ｂ  カラー
３３  隙間
【図１】
0004697838.tif 000002
【図２】
0004697838.tif 000003